(57)【要約】【課題】、蓋体の落下を防止するとともに、リード線の結線作業が簡単に行える電線収納ボックス付きの放電ランプ用点灯装置およびこの放電ランプ用点灯装置を具備する照明器具を提供する。【解決手段】放電ランプ用点灯装置１は、点灯装置本体２と、開口１３を有する有底の筒状に形成され、開口１３の内側に電線収納部１５、底部３ｃ側に点灯装置本体２が収納された装置収納部１４がそれぞれ設けられたケース本体３と、ケース本体３の開口１３側の周辺に設けられた回転軸によって開閉可能に設けられ、孔２６，２７に挿通された外部電線３０，３２と点灯装置本体２から導出されたリード線１９，２０とを結線した状態でケース本体３の電線収納部１５に外部電線３０，３２およびリード線１９，２０が収納されるようにケース本体３の開口１３を閉塞するケース蓋体４とを具備している。【選択図】図２
2008287911.tif 000002
【特許請求の範囲】
【請求項１】
点灯装置本体と；
開口を有する有底の筒状に形成され、開口の内側には電線収納部が設けられ、底部側には点灯装置本体が収納された装置収納部が設けられたケース本体と；
このケース本体の開口側の周辺に設けられた回転軸によって開閉可能に設けられ、外部電線が挿通される孔を有し、この孔に挿通された外部電線と点灯装置本体から導出されたリード線とを結線した状態でケース本体の電線収納部に外部電線およびリード線が収納されるようにケース本体の開口を閉塞するケース蓋体と；
を具備していることを特徴とする放電ランプ用点灯装置。
【請求項２】
ケース蓋体の孔は、入力側および出力側の外部電線がそれぞれ挿通される第１および第２の孔からなっていることを特徴とする請求項１記載の放電ランプ用点灯装置。
【請求項３】
ケース本体は、ケース蓋体が開いた状態を保持する保持手段を有していることを特徴とする請求項１または２記載の放電ランプ用点灯装置。
【請求項４】
請求項１ないし３いずれか一記載の放電ランプ用点灯装置と；
この放電ランプ用点灯装置により点灯される放電ランプと；
放電ランプを配設している器具本体と；
を具備していることを特徴とする照明器具。
【発明の詳細な説明】
【技術分野】
【０００１】
本発明は、放電ランプを点灯する放電ランプ用点灯装置および照明器具に関する。
【背景技術】
【０００２】
放電ランプ用点灯装置には、例えば鉄心にコイルが巻回された点灯装置本体やコンデンサ等の電気部品が金属製ケース内に収納され、点灯装置本体が熱硬化性樹脂等よりなるコンパウンドで充填されているものがある(例えば特許文献１参照。)。この従来技術の放電ランプ用点灯装置は、ケースの蓋体に挿通孔が穿設されており、この挿通孔において前記電気部品から導出されたリード線をブッシングにて保持しケースの外方に引き出している。そして、当該リード線は、ケース外で外部電線と接続されるものである。
【０００３】
しかし、屋外に設置される放電ランプ用点灯装置においては、ケース内に前記リード線と外部電線の接続部分が収納されるものがある。すなわち、ケースには電線の接続部分が収納されるボックスが設けられ、蓋体の挿通孔において外部電線をブッシングにて保持しケース内に導入する接続ボックス付き安定器が提供されている（例えば非特許文献１参照。）。この従来技術の接続ボックス付き安定器は、前記リード線と外部電線を結線するときにケースから蓋体が取り外されるものである。
【特許文献１】特開平５−１２９１４６号公報（第２頁、第１図）
【非特許文献１】松下電工(株)、２００５−２００７  施設・店舗・屋外照明  ＳｍａｒｔＬｉｇｈｔｉｎｇ、カタログＮｏ．照Ａ−１９４、２００５．３月発行（Ｐ．１５０５−１５０６）
【発明の開示】
【発明が解決しようとする課題】
【０００４】
非特許文献１の接続ボックス付き安定器は、点灯装置本体などから導出されたリード線と外部電線との結線を行うときに、蓋体をケースから取り外し、ケースに取り付けるので、蓋体の着脱作業に時間を要し、この結果、リード線の結線作業に時間を要するという欠点を有する。また、屋外に設置される安定器は、高所に取り付けられることが多く、結線作業中にケースから取り外された蓋体が誤って地上などに落下するおそれがあるという欠点を有する。
【０００５】
本発明は、蓋体の落下を防止するとともに、リード線の結線作業が簡単に行える電線収納部付きの放電ランプ用点灯装置およびこの放電ランプ用点灯装置を具備する照明器具を提供することを目的とする。
【課題を解決するための手段】
【０００６】
請求項１に記載の放電ランプ用点灯装置の発明は、点灯装置本体と；開口を有する有底の筒状に形成され、開口の内側には電線収納部が設けられ、底部側には点灯装置本体が収納された装置収納部が設けられたケース本体と；このケース本体の開口側の周辺に設けられた回転軸によって開閉可能に設けられ、外部電線が挿通される孔を有し、この孔に挿通された外部電線と点灯装置本体から導出されたリード線とを結線した状態でケース本体の電線収納部に外部電線およびリード線が収納されるようにケース本体の開口を閉塞するケース蓋体と；を具備していることを特徴とする。
【０００７】
本発明および以下の各発明において、特に言及しない限り、各構成は以下による。
【０００８】
点灯装置本体は、鉄心にコイルを巻回して形成したもの、回路基板に点灯回路部品を実装して形成したもののいずれであってもよい。
【０００９】
「点灯装置本体から導出されたリード線」とは、点灯装置本体に電気的に接続されたコンデンサなどの電気部品や中間部材等から導出されたリード線を意味する。
【００１０】
「ケース本体の開口側の周辺に設けられた回転軸」とは、ケース本体の開口側の周縁またはその近傍の一部に設けられた回転軸構造体を意味し、ケース本体の開口側の周辺の一部に設けられた切り欠きや係止片が回転軸の一部として機能するものであってもよく、ケース本体の開口側の周辺の一部に設けられた例えば蝶番などであってもよい。
【００１１】
本発明によれば、ケース蓋体は、ケース本体の開口側の周辺に設けられた回転軸によって開閉可能に設けられているので、ケース本体に一体化し、結線作業中にケース本体から落下することがない。そして、ケース蓋体を開いた状態でケース蓋体に設けられた孔に外部電線が挿通され、外部電線とリード線との結線が行われる。当該結線後、ケース蓋体を閉じると、外部電線とリード線との結線部分がケース本体の電線収納部に収納され、ケース本体の開口が閉塞される。
【００１２】
請求項２に記載の放電ランプ用点灯装置の発明は、請求項１記載の放電ランプ用点灯装置において、ケース蓋体の孔は、入力側および出力側の外部電線がそれぞれ挿通される第１および第２の孔からなっていることを特徴とする。
【００１３】
本発明によれば、入力側の外部電線が第１の孔に挿通され、出力側の外部電線が第２の孔に挿通されることにより、入力側および出力側に対する外部電線およびリード線の誤接続が防止されやすく、結線作業が迅速化される。
【００１４】
請求項３に記載の放電ランプ用点灯装置の発明は、請求項１または２記載の放電ランプ用点灯装置において、ケース本体は、ケース蓋体が開いた状態を保持する保持手段を有していることを特徴とする。
【００１５】
保持手段は、ケース蓋体に当接して開放状態を保持するような突起（タボ）や閉塞方向への回転を阻止するストッパなどを用いることができる。
【００１６】
本発明によれば、外部電線とリード線との結線時に、ケース蓋体が回転して閉じなくすることができるので、外部電線とリード線の結線作業が容易に行われる。
【００１７】
請求項４に記載の照明器具の発明は、請求項１ないし３いずれか一記載の放電ランプ用点灯装置と；この放電ランプ用点灯装置により点灯される放電ランプと；放電ランプを配設している器具本体と；を具備していることを特徴とする。
【００１８】
本発明によれば、請求項１ないし３いずれか一記載の放電ランプ用点灯装置を具備する照明器具が提供される。
【発明の効果】
【００１９】
請求項１の発明によれば、ケース蓋体は、外部電線が孔に挿通された状態でケース本体の開口を開閉することができるので、結線作業中にケース蓋体がケース本体から落下することを防止でき、点灯装置本体から導出されたリード線と外部電線の結線作業が短時間で行えて、省力化を図ることができる。
【００２０】
請求項２の発明によれば、入力側および出力側の外部電線がそれぞれ第１および第２の孔に挿通されるので、外部電線およびリード線の誤接続を防止できて結線作業を迅速に行うことができる。
【００２１】
請求項３の発明によれば、外部電線およびリード線の結線作業時に、ケース本体の保持手段がケース本体の開口に対してケース蓋体が開いた状態を保持するので、ケース蓋体が回転することによって結線作業が妨げられることを防止することができて、結線作業を容易に迅速に行うことができる。
【００２２】
請求項４の発明によれば、外部電線とリード線の結線作業時にケース蓋体がケース本体から落下することを防止することができ、当該結線作業を短時間で行うことができる電線収納部付きの放電ランプ用点灯装置を具備する照明器具を提供することができる。
【発明を実施するための最良の形態】
【００２３】
以下、本発明の一実施の形態について、図面を参照して説明する。まず、本発明の第１の実施形態について説明する。
【００２４】
図１ないし図４は、本発明の第１の実施形態を示す放電ランプ用点灯装置であり、図１はケース蓋体が開いた状態の概略正面断面図、図２はリード線が結線された状態の概略正面断面図、図３はケース蓋体が閉じた状態の概略正面断面図、図４（ａ）はケース蓋体が閉じた状態の概略右側面図、図４（ｂ）はケース蓋体が開いた状態の概略右側面図である。
【００２５】
図１において、放電ランプ用点灯装置１は、点灯装置本体２、ケース本体３およびケース蓋体４を有して構成されている。
【００２６】
点灯装置本体２は、ボビン５，６にそれぞれ巻回されたコイル７，８と積層鉄心９とを組み合わせ、一対のコアキャップ１０，１１でコイル７，８と積層鉄心９とを一体化して形成されている。
【００２７】
ケース本体３は、金属製例えば鉄（Ｆｅ）またはステンレス（ＳＵＳ）からなり、一端３ａが閉塞板１２で閉塞され他端３ｂに開口１３を有する中空四角筒状に形成されている。閉塞板１２の内面は、ケース３の底部３ｃとなっている。そして、ケース本体３は、底部３ｃ側に装置収納部１４が設けられ、開口１３の内側に電線収納部１５が設けられている。
【００２８】
そして、装置収納部１４には、点灯装置本体２が収納され、点灯装置本体２を包囲して例えばポリエステル等の充填材１６が充填されている。充填材１６は、点灯装置本体２を装置収納部１４に固定するとともに、点灯装置本体２からの振動を吸収し、さらに点灯装置本体２からの熱をケース本体２に迅速に伝達するものである。
【００２９】
電線収納部１５は、ケース本体３の内面にねじ１７，１７により取り付けられた仕切り板１８で区分けされている。この仕切り板１８には、点灯装置本体２からそれぞれ導出された入力側のリード線１９，１９および出力側のリード線２０，２０が挿通されている。リード線１９，１９およびリード線２０，２０は、ケース蓋体４を閉じている状態では、電線収納部１５に収納されており、ケース蓋体４を開いている状態で、ケース２の外方に所定長導出できる長さを有している。
【００３０】
そして、仕切り板１８よりも装置収納部１４側の電線収納部１５には、力率改善用のコンデンサ２１が配設されている。コンデンサ２１は、充填材１６に固着された支持部材２２に支持されており、充填材１６の内部において、入力側のリード線１９，１９に接続されている。
【００３１】
ケース蓋体４は、ケース本体３の開口１３の内面に設けられた取付金具２３に蝶番２４を介して取り付けられているものであり、金属製例えば鉄（Ｆｅ）またはステンレス（ＳＵＳ）からなり、略四角形状の平板４ａ、この平板４ａの蝶番２４が配設されている辺側を除く辺にそれぞれ周側板４ｂを有するように形成されている。取付金具２３は、断面Ｌ形に形成され、ケース本体３の内面にねじ２５により固定されている。蝶番２４は、ケース本体３の開口１３側の一部を形成しているものであり、その回転軸は、ケース蓋体４の回転軸となっている。
【００３２】
そして、ケース蓋体４は、蝶番２４の回転軸とともに回転してケース本体３の開口１３を開閉するものである。ケース蓋体４が閉じられると、ケース本体３の開口１３が閉塞され、ケース本体３内に水分が浸入しにくくなる。また、ケース蓋体４が開けられると、ケース本体４の電線収納部１５に収納されているリード線１９，１９およびリード線２０，２０をケース本体３の外側に引き出すことができるものである。
【００３３】
また、ケース蓋体４には、第１の孔２６および第２の孔２７が形成されている。第１および第２の孔２６，２７には、それぞれブッシング２８，２９が配設されている。そして、図２に示すように、ブッシング２８には、入力側の外部電線３０，３０を有するケーブル３１が挿通され、ブッシング２９には、出力側の外部電線３２，３２を有するケーブル３３が挿通される。ブッシング２８は、ケーブル３１を挿通して保持し、ブッシング２９は、ケーブル３３を挿通して保持するものである。
【００３４】
入力側の外部電線３０，３０および出力側の外部電線３２，３２は、ケース蓋体４が開かれた状態で、点灯装置本体２から導出された入力側のリード線１９，１９および出力側のリード２０，２０とそれぞれ図示しないリングスリーブなどを用いて結線されている。結線部分は、それぞれ図示しない絶縁テープで被覆されている。
【００３５】
そして、前記結線後、図３に示すように、ケース蓋体４が閉じられている。ケース蓋体４は、周側板４ｂがケース本体３にねじ３４により固定されている。これにより、ケース本体３の開口１３は、閉塞されている。また、点灯装置本体２から導出された入力側のリード線１９，１９および出力側のリード２０，２０と、それぞれブッシング２８，２９を挿通した入力側の外部電線３０，３０および出力側の外部電線３２，３２とが、前記結線された状態で、ケース本体３の電線収納部１５に収納されている。
【００３６】
そして、ケース本体３は、図４（ａ）に示すように、取付金具２３が配設されている開口１３側の内面に保持手段としての突起（タボ）３５が形成されている。また、ケース蓋体４の周側板４ｂには、凹部４ｃが設けられている。突起３５は、図４（ｂ）に示すように、ケース蓋体４を開いたときに周側板４ｂに当接した後に凹部４ｃに嵌め込まれる。これにより、ケース蓋体４が閉じられるときに突起３５と凹部４ｃが係合して、ケース蓋体４が容易に閉じられないものである。すなわち、突起３５は、ケース蓋体４の開いた状態を保持するものである。
【００３７】
また、ケース本体３には、放電ランプ用点灯装置１を造営物に取り付けるための一対の取付金具３６，３７が設けられている。放電ランプ用点灯装置１は、通常、鉛直方向において、取付金具３６が下側、取付金具３７が上側となるようにして造営物に取り付けられる。
【００３８】
次に、本発明の第１の実施形態の作用について説明する。
【００３９】
放電ランプ用点灯装置1と、照明器具および電源とを接続するには、まず、ケース本体３にケース蓋体４を固定しているねじ３４を取り外す。これにより、ケース蓋体４は、蝶番２４の回転軸で回転可能となる。そして、ケース蓋体４を最大に回転させてケース本体３の開口１３を開け、電線収納部１５に収納されている入力側のリード線１９，１９および出力側のリード線２０，２０をケース本体３の外方に引き出す。
【００４０】
次に、入力側のケーブル３１をケース蓋体４のブッシング２８に挿通させて、図２に示すように、入力側のリード線１９，１９と入力側の外部電線３０，３０の結線を行う。さらに、出力側のケーブル３３をブッシング２９に挿通させて、出力側のリード線２０，２０と出力側の外部電線３２，３２の結線を行う。この結線作業時、図４（ｂ）に示すように、ケース本体３の突起３５がケース蓋体４の周側板４ｂの凹部４ｃに係合しており、ケース蓋体４が容易に回転しなく閉じられないので、ケース蓋体４の回転によって結線作業が妨げられなく、結線作業を容易に短時間に行うことができる。
【００４１】
また、入力側のケーブル３１を第１の孔２６に配設されたブッシング２８に挿通させて入力側のリード線１９，１９と結線作業を行い、出力側のケーブル３３を第２の孔２７に配設されたブッシング２９に挿通させて出力側のリード線２０，２０と結線作業を行うので、入力側および出力側の結線の誤接続を防止しやすく、結線前の確認も容易にかつ短時間で行える結果、結線作業を迅速に行うことができる。
【００４２】
そして、前記結線作業を終えた後、ケース本体３の開口１３を閉じるようにケース蓋体４を回転させ、ねじ３４により周側板４ｂをケース本体３に固定する。これにより、図３に示すように、入力側のリード線１９，１９および入力側の外部電線３０，３０と、出力側のリード線２０，２０および出力側の外部電線３２，３２とがそれぞれ結線された状態で電線収納部１５に収納される。ケース本体３の開口１３は、ケース蓋体４により閉塞される。
【００４３】
上述したように、放電ランプ用点灯装置１は、ケース蓋体４が蝶番２４を介してケース本体３に一体化し、蝶番２４の回転軸で回転するので、ケース蓋体４がケース本体３の開口１３を開閉することができるとともにケース本体３から落下することを防止することができる。ケース蓋体４が落下してその回収をすることがなく、手動でケース蓋体４の開閉を容易に行えるので、前記結線作業を簡単に短時間で行うことができて、省力化を図ることができる。
【００４４】
次に、本発明の第２の実施形態について説明する。
【００４５】
図５は、本発明の第２の実施形態を示す放電ランプ用点灯装置であり、（ａ）はケース蓋体が閉じた状態の概略右側面図、（ｂ）はケース蓋体が開いた状態の概略右側面図である。なお、図４と同一部分には、同一符号を付して説明は省略する。
【００４６】
図５に示す放電ランプ用点灯装置３８は、図４に放電ランプ用点灯装置１において、ケース本体３に設けられた突起３５に代えて、保持手段としてのストッパ３９付きのねじ４０が設けられたものである。ねじ４０は、取付金具２３の近傍であってケース蓋体４の平板４ａよりも内側に配設されている。ストッパ３９は、小形に形成された矩形状の直方体からなり、ねじ４０の先端に固着されている。
【００４７】
ケース蓋体４が閉じられているときには、図５（ａ）に示すように、ストッパ３９の長手部分がケース蓋体４の平板４ａの平面に沿っている。そして、ケース蓋体４が開かれた状態のときに、図５（ｂ）に示すように、ねじ４０を回動させて、ストッパ３９の一端側が開口１３よりも外側に突出するようにストッパ３９の長手部分がケース本体３の長手方向を向いて、ケース蓋体４の平板４ａに当接または近接するものである。
【００４８】
結線作業時、ケース蓋体４が回転して閉じようとしても、ストッパ４０がケース蓋体４の平板４ａに当接するので、ケース蓋体４の回転が阻止され、ケース蓋体４によって結線作業が妨げられなく、結線作業を容易に短時間に行うことができる。
【００４９】
次に、本発明の第３の実施形態について説明する。
【００５０】
図６は、本発明の第３の実施形態を示す照明器具の一部切り欠き概略側面図である。なお、図１と同一部分には、同一符号を付して説明は省略する。
【００５１】
図６に示す照明器具４１は、野球場や広場などの屋外に設置されたポール４２の頂上４２ａ側に取り付けられた投光器である。照明器具４１は、アルミニウム（Ａｌ）からなり略筒状に形成された器具本体４３の内部に、ランプソケット４４が配設されている。このランプソケット４４に放電ランプとしての高圧メタルハライドランプ４５が装着されている。器具本体４３は、前面側にアルミニウム（Ａｌ）からなる反射鏡４６を配設している。反射鏡４６の開口は、透明の強化ガラス４７で閉塞されている。
【００５２】
ポール４２には、図示しないバンド等により台座４８が取り付けられている。照明器具４１は、器具本体４３を回動自在に固定している脚(アーム)４９が台座４８に図示しないボルトにより固定されていることにより、ポール４２に取り付けられている。そして、放電ランプ用点灯装置１は、ケース蓋体４を地面５０側にして、ポール４２の地面５０と頂上４２ａの中間部分に取り付けられている。すなわち、一対の取付金具３６，３７が図示しないボルトによりポール４２に固定されている。
【００５３】
そして、地面５０から引き出された入力側のケーブル３１と、照明器具４１から導出された出力側のケーブル３３がそれぞれ放電ランプ用点灯装置１に導入されている。ケーブル３１およびケーブル３３は、それぞれ複数の押さえ金具５１によってポール４２に固定されている。
【００５４】
放電ランプ用点灯装置１が給電されて動作すると、高圧メタルハライドランプ４５が点灯する。高圧メタルハライドランプ４５からの放射光は、反射鏡４６の内面で反射され、強化ガラス４７を通過して、地面５０側に出射される。
【００５５】
放電ランプ用点灯装置１における外部電線としてのケーブル３１，３３の結線作業時に、ケース蓋体４がケース本体３から地面５０側に落下することを防止することができ、当該結線作業を短時間で行うことができるので、照明器具４１の設置工事における省力化を図ることができる。
【図面の簡単な説明】
【００５６】
【図１】本発明の第１の実施形態を示す放電ランプ用点灯装置のケース蓋体が開いた状態の概略正面断面図。
【図２】同じく、放電ランプ用点灯装置のリード線が結線された状態の概略正面断面図。
【図３】同じく、放電ランプ用点灯装置のケース蓋体が閉じた状態の概略正面断面図。
【図４】同じく、放電ランプ用点灯装置を示し、（ａ）はケース蓋体が閉じた状態の概略右側面図、（ｂ）はケース蓋体が開いた状態の概略右側面図。
【図５】本発明の第２の実施形態を示す放電ランプ用点灯装置であり、（ａ）はケース蓋体が閉じた状態の概略右側面図、（ｂ）はケース蓋体が開いた状態の概略右側面図。
【図６】本発明の第３の実施形態を示す照明器具の一部切り欠き概略側面図。
【符号の説明】
【００５７】
１，３８…放電ランプ用点灯装置
２…点灯装置本体
３…ケース本体
４…ケース蓋体
２７…第１の孔
２８…第２の孔
３５…保持手段としての突起
４０…保持手段としてのねじ
４１…照明器具
４３…器具本体
４５…放電ランプとしての高圧メタルハライドランプ
【図１】
2008287911.tif 000003
【図２】
2008287911.tif 000004
【図３】
2008287911.tif 000005
【図４】
2008287911.tif 000006
【図５】
2008287911.tif 000007
【図６】
2008287911.tif 000008